(57)【要約】【解決手段】回路基板が、第１及び第２のグラウンド層、ならびにグラウンド層間に延在するが、それらに電気的に接触しない、複数の信号ビアを含む。第１及び第２のグラウンド層に結合されるグラウンドビアは、信号ビアに隣接して配置することができ、隣接するグラウンドビア間に延在するグラウンドトレースを含み得る。空気孔は、回路基板の電気性能を改善するために信号ビア及び／または隣接する信号ビア間に配置することができる。グラウンドウイングは、コモンモード及び／または差動モードインピーダンスの調整を補助するため使用され得る。【選択図】なし
2013511849.tif 000002
【特許請求の範囲】
【請求項１】
第１グラウンド基面と、
第２グラウンド基面と、
前記第１及び第２グラウンド基面間に具備される絶縁部と、
前記第１及び第２グラウンド基面間に延在する第１及び第２信号ビアであって、該第１及び第２信号ビアが、差動信号ペアを具備するように構成され、前記第１及び第２信号ビアが、前記第１及び第２グラウンド基面から絶縁され、前記第１及び第２信号ビア間に延在する領域を有する、第１及び第２信号ビアと、
該第１及び第２信号ビア間に延在する前記領域に配置される空気孔と、
を備える、回路基板。
【請求項２】
前記空気孔が第１直径を有し、前記信号ビアが前記第１直径より大きな第２直径を有する、請求項１に記載の回路基板。
【請求項３】
前記空気孔が、第１空気孔であり、第２空気孔が、前記第１及び第２信号ビア間に延在する前記領域に配置されず、前記第１及び第２信号ビアの１つに隣接して配置される、請求項２に記載の回路基板。
【請求項４】
前記第１及び第２グラウンド基面間に延在する第１グラウンドビアをさらに含み、
該第１グラウンドビアが前記第１及び第２グラウンド基面と電気的に結合し、
前記第２空気孔が、前記第１グラウンドビアと前記第１及び第２信号ビアの１つとの間に延在する第２領域に少なくとも部分的に配置される、請求項３に記載の回路基板。
【請求項５】
第１グラウンド基面と、
第２グラウンド基面と、
前記第１及び第２グラウンド基面間に具備される絶縁部と、
前記第１及び第２グラウンド基面間に延在する第１及び第２差動ビアペアであって、該第１及び第２差動ビアペアの各々が、差動信号伝達チャネルを提供するように構成され、前記第１及び第２信号ビアが、前記第１及び第２グラウンド基面から絶縁され、前記第１及び第２差動ビアペア間に延在する領域を有する、第１及び第２差動ビアペアと、
前記領域に配置される２つのグラウンドビアであって、該グラウンドビアが、前記第１及び第２グラウンド基面に電気的に結合され、前記２つのグラウンドビア間に延在する複数のグラウンドトレースをさらに含み、該複数のグラウンドトレースが、前記第１及び第２グラウンド間に配置される、２つのグラウンドビアと、
を備える、回路基板。
【請求項６】
第３グラウンドビアが、前記２つのグラウンドビアのうちの１つに隣接して配置され、複数のグラウンドトレースが前記第３グラウンドビアと前記２つのグラウンドビアのうちの対応する１つとの間に延在する、請求項５に記載の回路基板。
【請求項７】
前記３つのグラウンドビアが直線上にある、請求項６に記載の回路基板。
【請求項８】
前記３つのグラウンドビアが、２つの末端グラウンドビア及び１つの中間グラウンドビアを含み、グラウンドウイングが、前記第１差動ビアペアを形成する信号ビア間の領域に延在するように、前記中間グラウンドビアから延在する、請求項７に記載の回路基板。
【請求項９】
前記グラウンドウイングが、第１の方向に延在する第１グラウンドウイングであり、第２グラウンドウイングが、第２の方向に前記中間グラウンドビアから延在する、請求項８に記載の回路基板。
【発明の詳細な説明】
【技術分野】
【０００１】
（関連出願の相互参照）
本出願は、２００９年１１月１８日に出願された米国特許仮出願番号第６１／２６２，１４７号の優先権を主張し、その全体が参照により、本明細書に組み込まれる。
【０００２】
本発明は、高速データ通信が可能なコネクタの分野に関し、より詳細には、高速データ通信が可能なコネクタの使用に適したプリント回路基板の分野に関する。
【背景技術】
【０００３】
高速データ通信でのデータの伝達に適したコネクタは、しばしばプリント回路基板上に搭載される。回路基板上にコネクタを搭載する１つの一般的な方法は、多くの場合、圧入または孔を介したはんだづけにより（または場合によっては、はんだ圧入により）、回路基板のビアで固定された端子の使用による。データ通信速度が上昇するにつれ、通信システムは、スプリアス信号への抵抗がより高い傾向があるため、次第に、差動信号カップリングを使用し始める。
【０００４】
差動カップリングされた信号線の使用に起因する１つの問題は、相対的に高密度なコネクタ（平方インチ毎に多数の端子を有するコネクタ）の必要性である。これら高密度なコネクタは、１２Ｇｂｐs 以上のような高速データ通信を提供するため、入念な設計を必要とする。これは、特定の構成において信号端子およびグラウンド端子をコネクタ内に配置する設計となる傾向がある。コネクタ内の端子の構成を制御することが可能である一方、端子が回路基板に結合されているため、この制御を維持することは、より困難となる。これは、一つには回路基板が差動誘電率を有する傾向があるためと、一つには密にめっきされた貫通孔が互いに配置される方法の限界に因り、コネクタに存在する端子間隔が、コネクタ／回路基板インターフェースで維持されることが物理的に不可能であり得るといった理由による。従って、データ通信速度が上昇するにつれ、コネクタと対応する回路基板間のインターフェースは、所望の方法にて制御することがより難しくなる。そのため、ある個人は改善された回路基板設計を高く評価するであろう。
【発明の概要】
【０００５】
第１及び第２グラウンド基面を備えた回路基板を提供する。第１及び第２グラウンド基面に間隙が具備され、ビアをめっきした第１及び第２信号を間隙に配置する。第１及び第２ビアは、差動信号ペアとして作動するように構成され得る。信号ビアは、共有ビア設計を提供するように、回路基板を介して、延在し得る。複数のグラウンドビアは、第１及び第２ビアに隣接して配置され、グラウンドビアは、第１及び第２グラウンド基面に互いにカップリングする。２つ以上のグラウンドビアは、グラウンドトレースと互いにカップリングされ得る。１つまたは複数のグラウンドビアは、グラウンドウイングを有し得る。所望であれば、第１のめっきされていない空気孔が第１及び第２ビアに隣接して、回路基板に具備され、一実施形態において、実質的に第１及び第２ビアの間に配置され得る。さらなる空気孔が、信号ビアと１つまたは複数のグラウンドビアとの間に具備され得る。第１空気孔は、第１及び第２ビア間のカップリングを調整するように構成される。さらなる空気孔は、使用される場合、１つまたは両方の信号ビアと１つまたは複数のグラウンドビア間のカップリングを調整するように構成され得る。
【０００６】
実施例を用いて本発明を図解するが、同様の構成要素を同じ参照番号で示した添付図面に限定されない。
【図面の簡単な説明】
【０００７】
【図１】回路基板の実施形態を図解する斜視図である。
【図２】図１に描く回路基板を、絶縁部を除去して図解する斜視図である。
【図３】図２に描く実施形態の線３−３に沿った断面を図解する斜視図である。
【図４】ビア様式の実施形態を図解する平面図である。
【図５】ビア様式の別の実施形態を図解する平面図である。
【発明を実施するための形態】
【０００８】
以下、詳細な説明は、例示的な実施形態を記載するが、明確に開示される組み合わせに限定することを目的としない。従って、特に断りのない限り、簡略にするために示されていないさらなる組み合わせを形成するために、本明細書に開示される特徴を互いに組み合わせてもよい。
【０００９】
添付図面に描かれる様々な特徴を説明する前に、全ての特徴が全ての回路基板構造構成に望ましいとは限らないことに注意すべきである。例えば、回路基板設計の１つの目標は、回路基板における電気性能を、コネクタにおける電気性能と適合させることを補助することである。理解され得るように、回路基板と対応するコネクタ間の電気性能（例えば、コモンモードインピーダンス）における適合を改善することは、挿入損失の最小化に役立つ。さらに、図面に描かれるある特徴は、差動カップリングされるビア間の遮蔽を改善することを可能にする（すなわち、回路基板の差動ビアペア間のクロストークが実質的に減少することを可能にする）。加えて、グラウンドウイング（後述）の使用は、差動ビアペア間の差動カップリングを調節することを補助することができる（従って、差動モードインピーダンスとコモンモードインピーダンスの調整を可能にする）。補助となる特定の特徴の選択は、主に、所望のシステム性能に基づくであろう。
【００１０】
本明細書で説明する特徴は、信号周波数が高く、ピンフィールドの密度も高い場での利用に最も適していることに注意すべきである。特に、信号周波数が約６ＧＨｚであり、密度が４０信号ペア／リニアインチより高い（ビア単体で見た場合）のは、描写した構造及び設計がより有益であると決定されている場である。加えて、描写した構造により提供される改善は、低い信号周波数の時と同等には有効でないであろう。
【００１１】
図１〜図５は、第１グラウンド層１０、第２グラウンド層１１、及び絶縁部１２を含む回路基板の様々な実施形態で使用することができる特徴を図解する。理解され得るように、２つのグラウンド基面と絶縁部は、回路基板に第１及び第２側面を具備する。作動中、絶縁部は、２つのグラウンド基面間に延在する絶縁部を効果的に提供する、いくつかの層として提供され得る。さらに、２つのグラウンド基面が示されているが、さらなるグラウンド基面も提供され得（各グラウンド基面を、対応する絶縁部によって、別のグラウンド基面から隔たれ）、さらなる複合回路基板を提供する。一般的に、各さらなるグラウンド基面は、グラウンド基面１０、１１を添付の図面で描写した方法と同様の方法で、構成し得る。
【００１２】
２つのグラウンド基面１０、１１を電気的に結合するのは、複数のグラウンドビア３２である。理解され得るように、グラウンドビア３２は、信号ビア２２、２４の周囲に所望の様式で配置でき、２つのグラウンド基面１０、１１間に延在する。いくつかのグラウンドビア３２は、他のグラウンドビアから絶縁し、２つのグラウンド基面１０、１１間に延在し得る。また、絶縁層１２内の所定の位置に配置され得る１つまたは複数のグラウンドトレース３５を介して、２つ以上のグラウンドビア３２を互いにカップリングすることもできる。グラウンドトレース３５は、頻繁に配置される場合、柵のような遮蔽を具備し得、グラウンドトレース３５により形成される柵の反対側に配置される信号端子間のクロストークの減少を補助することができる。または、別の言い方をすれば、２つのグラウンドビア間に具備されるグラウンドトレースを、２つのグラウンドビアの第１側面と２つのグラウンドビアの第２側面間の効果的な遮蔽を提供するように構成することができる。理解され得るように、グラウンドビア間のグラウンドトレースの周期的な使用は、孤立した２つのグラウンドビアで可能なものより、大きな遮蔽を可能にする。例えば、図１〜３に示すように、３つのグラウンドビアを第１差動信号ペア及び第２差動信号ペア間の領域に配置し、３つのグラウンドビア間に複数のグラウンドトレースが延在する。理解され得るように、特定の利用には、グラウンドビア間に延在するグラウンドトレースを用いて、２つのグラウンドビアだけを使用することが適している。
【００１３】
信号ビア２２、２４が信号を回路基板の２つの側面間で伝達することを可能にするために、信号ビア２２、２４の周囲のグラウンド基面１０、１１に間隙１４がある。従来、信号ビア２２、２４間の領域は、絶縁部で満たされていた。図５から理解され得るように、一実施形態において、グラウンド基面は、グラウンド基面が線３９（第１ビア２２と第２ビア２４間に延在する領域のエッジを画定する）を超えて延在できるように、グラウンドウイング３７を含み、このようにして、ビア間に延在する領域をグラウンド基面がない状態から防ぐ。これが、コモンモードインピーダンスと差動モードインピーダンス間のよりよい割合の確保に役立つことは有益であり、さらなる遮蔽の提供にも役立つことが分かっている。グラウンドビア間に延在するグラウンドトレース３５のように、複数のグラウンドウイングが第１及び第２グラウンド基面間に配置できることに注意すべきである。
【００１４】
描写のように、第１空気孔４４’は、第１及び第２信号ビア２２、２４間に配置され、それが第１及び第２信号ビア２２、２４間の差動カップリングを改善するため、作動する。空気孔４４’の大きさは、第１及び第２信号ビア間の所望のカップリングを提供するため、必要性に応じて構成され得る。理解され得るように、空気孔は、めっきされておらず、めっきビアに関連する比率限界が適用されないため、通常のめっきビアよりも小さく作成できる。一実施形態において、空気孔は、直径約０．４〜０．６ｍｍの大きさであるが、空気孔の大きさは、当然に、第１及び第２信号ビア間ならびに／または信号ビア及び１つもしくは複数のグラウンドビア間の所望のカップリングを提供するように変化し得る。
【００１５】
描写のように、さらなる空気孔４４は、空気孔４４’と同一の大きさでもよく、または他の大きさであってもよく、グラウンドビア３２と信号ビア２２、２４間に配置され得る。空気孔４４は、信号ビア２２、２４の１つまたは両方とグラウンドビア３２の間のカップリングの制御を補助でき、その結果、２つの側面間の全体の通信経路が適切となり、コネクタ設計に適合する。所望の結果を提供するのに有益な空気孔の位置及び数は、システムの必要性に応じて当然変わり、そのため、ある実施形態においては、１つまたは２つの空気孔で充足し得る。第１及び第２信号ビア２２、２４間に空気孔４４’を含むことは、ある回路基板構成、特にデータ通信速度が１２Ｇｂｐｓ以上に上昇したものに有利であることが分かっている。
【００１６】
本明細書に含まれる本開示は、その好ましい実施形態および例示的な実施形態に関して特徴を記載する。当業者は、本開示を検討すると、添付の特許請求の範囲と精神に含まれる他の多くの実施形態、改良、及び変形を、思い付くことができるであろう。
【図１】
2013511849.tif 000003
【図２】
2013511849.tif 000004
【図３】
2013511849.tif 000005
【図４】
2013511849.tif 000006
【図５】
2013511849.tif 000007
【国際調査報告】
2013511849.tif 000008
2013511849.tif 000009